(57)【要約】放送コンテンツに関するリスト情報を検索して表示させる場合に、複雑なキー操作を行わずにその前／後に放送された番組に対応するリスト情報を表示させることが可能な表示装置を提供する。情報サーバ２は、端末装置１からの日付・時間帯等の検索キーに基づいて、その時間帯に放送された楽曲のリストを端末装置１に送信する。端末装置１は、受信した楽曲リストを表示部１ａに表示させる。このとき、楽曲リストと共に、その前後の時間帯に放送された楽曲のリストをそれぞれ表示させるための指示項目を表示しておく。ユーザは、楽曲リスト内の楽曲に対する選択操作から一連の操作で指示項目を選択するだけで、他の画面に戻る、あるいは検索条件を再指定する等の操作を行うことなく、前又は後の時間帯に放送された楽曲のリストを表示させることができる。
2005006610.tif 000002
【特許請求の範囲】
【請求項１】
通信回線を通じて取得した、放送コンテンツに関する情報を表示する表示装置において、
上記放送コンテンツのリスト情報から当該リスト情報の一部を特定する検索キーを送信する送信手段と、
上記検索キーに応じた少なくとも一部のリスト情報を受信する受信手段と、
上記受信手段により受信された上記一部のリスト情報と、当該一部のリスト情報の前／後に放送された番組に対応するリスト情報の表示を要求するための指示項目とを表示する表示手段と
を具えることを特徴とする表示装置。
【請求項２】
上記表示手段上の表示情報を選択する選択手段
を具え、
上記送信手段は、
上記選択手段によって上記指示項目が選択されると、当該選択された上記指示項目に対応するリスト情報の検索を要求する検索要求情報を送信し、
上記受信手段は、
上記検索要求情報に対応する上記リスト情報を受信し、
上記表示手段は、
上記受信手段により受信された上記リスト情報を上記指示項目と共に表示する
ことを特徴とする請求の範囲第１項に記載の表示装置。
【請求項３】
上記受信手段により受信された情報を一時的に記憶する一時記憶手段
を具え、
上記受信手段は、
上記検索キーに対する検索結果として、当該検索キーに合致するリスト情報と、上記検索キーに合致するリスト情報の前／後に放送された番組に対応するリスト情報とを受信し、
上記表示手段は、
上記受信手段による受信情報のうち、上記検索キーに合致するリスト情報のみを表示し、
上記一時記憶手段は、
上記受信手段による上記受信情報のうち、上記検索キーに合致するリスト情報の前／後に放送された番組に対応するリスト情報を記憶する
ことを特徴とする請求の範囲第１項に記載の表示装置。
【請求項４】
上記表示手段上の表示情報を選択する選択手段
を具え、
上記表示手段は、
上記選択手段によって上記表示手段に表示された上記指示項目が選択されると、上記一時記憶手段に記憶されたリスト情報のうち、上記選択手段によって選択された上記指示項目に対応するリスト情報を表示する
ことを特徴とする請求の範囲第３項に記載の表示装置。
【請求項５】
上記受信手段は、
上記検索キーとして日付と、時刻又は時間帯とが指定されたとき、その検索結果として、指定された上記日付と上記時刻又は上記時間帯における番組内で放送された楽曲のリスト情報を受信し、
上記表示手段は、
上記受信手段により受信された上記楽曲のリスト情報を表示する
ことを特徴とする請求の範囲第１項に記載の表示装置。
【請求項６】
上記受信手段は、
上記検索キーとして日付が指定されたとき、その検索結果として、指定された上記日付において放送された番組のリスト情報を受信し、
上記表示手段は、
上記受信手段により受信された上記番組のリスト情報を表示する
ことを特徴とする請求の範囲第１項に記載の表示装置。
【請求項７】
上記放送コンテンツを受信する放送受信手段と、
上記放送受信手段により受信された上記放送コンテンツを出力する放送出力手段と
を具えることを特徴とする請求の範囲第１項に記載の表示装置。
【請求項８】
通信回線を通じて取得した、放送コンテンツに関する情報を表示するための表示方法において、
上記放送コンテンツのリスト情報から当該リスト情報の一部を特定する検索キーを送信する検索キー送信ステップと、
上記検索キーに応じた少なくとも一部のリスト情報を受信するリスト情報受信ステップと、
上記受信した上記一部のリスト情報と、当該一部のリスト情報の前／後に放送された番組に対応するリスト情報の表示を要求するための指示項目とを同一画面上に表示する表示ステップと
を具えることを特徴とする表示方法。
【請求項９】
上記検索キー送信ステップは、
認証機能を有する認証サーバ、及びリスト情報を提供するリスト情報提供サーバと通信可能で、かつ上記放送コンテンツに関する情報を表示する端末装置が、
上記検索キーを、上記端末装置と上記リスト情報提供サーバ間のセッションＩＤであるサービスセッションＩＤと共に上記リスト情報提供サーバに送信し、
上記リスト情報提供サーバから、認証エラーを示す情報と当該リスト情報提供サーバを識別するサービス識別情報とを受信し、
上記リスト情報提供サーバへアクセスするための認証チケットの発行を要求する認証チケット発行要求情報を、上記端末装置と上記認証サーバ間のセッションＩＤである認証セッションＩＤと共に上記認証サーバに送信し、
上記認証サーバにより認証許可されたとき、上記認証サーバにより発行された上記認証チケットを受信し、上記リスト情報提供サーバに対して認証要求情報を上記認証チケット共に送信し、
上記リスト情報提供サーバにより認証許可されたとき、上記端末装置と上記リスト情報提供サーバ間のセッションＩＤであるサービスセッションＩＤを受信し、
上記検索キーを、上記受信された上記サービスセッションＩＤと共に、上記リスト情報提供サーバに送信し、
上記リスト情報提供サーバにより認証許可されたとき、上記検索キーに応じた上記リスト情報を受信する
ことを特徴とする請求の範囲第８項に記載の表示方法。
【請求項１０】
上記検索キー送信ステップは、
上記端末装置が、
上記認証サーバによる認証がエラーのとき、認証エラーを示す情報を受信し、ユーザＩＤとパスワードを上記認証サーバに送信し、
上記認証サーバによる上記ユーザＩＤとパスワードの認証が許可されたとき、上記端末装置と上記認証サーバ間のセッションＩＤである認証セッションＩＤを受信し、
上記認証チケット発行要求情報を、上記認証セッションＩＤと共に上記認証サーバに送信する
ことを特徴とする請求の範囲第９項に記載の表示方法。
【請求項１１】
現在受信中の上記放送コンテンツの関連情報を要求する要求情報を所定間隔毎に送信する要求情報送信ステップと、
上記要求情報に応じた上記関連情報を受信する関連情報受信ステップと、
上記受信した上記関連情報を表示する関連情報表示ステップと
を具えることを特徴とする請求の範囲第８項に記載の表示方法。
【請求項１２】
通信回線を通じて取得した、放送コンテンツに関する情報を表示させる処理をコンピュータに実行させるための表示制御プログラムにおいて、
上記放送コンテンツのリスト情報から当該リスト情報の一部を特定する検索キーを送信し、
上記検索キーに応じた少なくとも一部のリスト情報を受信し、
上記受信した上記一部のリスト情報と、当該一部のリスト情報の前／後に放送された番組に対応するリスト情報の表示を要求するための指示項目とを同一画面上に表示させる
処理を上記コンピュータに実行させることを特徴とする表示制御プログラム。
【発明の詳細な説明】
【技術分野】  本発明は、放送コンテンツに関する情報を通信回線を通じて取得する通信装置、その情報を表示するための表示方法及び表示制御プログラムに関し、特に、放送コンテンツのリスト情報の検索を要求して取得し、表示することが可能な通信装置、表示方法及び表示制御プログラムに関する。
【背景技術】  近年、ＦＭ放送等の放送局は、通常の放送と共に、番組に関する情報をＷｅｂサイトを通じてユーザに提供していることが多くなっている。例えば、番組で放送された、あるいは放送予定の楽曲の曲名やアーティスト名のリストをＷｅｂサイト上で公開するサービスが知られている。放送を視聴したユーザは、放送された楽曲の中で気になる楽曲があったときに、このようなＷｅｂサイトにアクセスして、放送された日時や番組名等を指定することで、その楽曲の曲名やアーティスト名等を知ることができる。そして、例えばＣＤショップ等でその楽曲の入った音楽ＣＤ（Ｃｏｍｐａｃｔ  Ｄｉｓｃ）を購入することができる。
また、最近では、ラジオ放送の受信が可能な家庭内のオーディオ機器や携帯型の情報処理端末等に、上記のようなサービスを提供するサーバにアクセスして楽曲情報を取得し、表示する機能を持たせることが考えられている。この場合、例えばユーザは、オーディオ機器で受信中のラジオ放送で放送されている楽曲が気になった場合に、オーディオ機器に対して所定の操作入力を行うことにより、オーディオ機器がサーバにアクセスする。これにより、オーディオ機器はその楽曲に関する情報を取得して、ディスプレイ上に表示し、ユーザに通知する。また、過去に放送された楽曲の情報を知りたい場合等に、ユーザがオーディオ機器上で日付や時間帯を指定し、この指定に応じてサーバ側で検索された楽曲やそのリスト等の情報をオーディオ機器が受信し、ディスプレイに表示することも考えられている。
なお、従来の関連技術として、検索操作を簡単にし、検索に要する時間を短くすることが可能な以下のような検索装置があった。この検索装置は、入力手段によって入力された検索語に対する説明文を、検索手段によって記憶媒体から検索して、該当検索語の一覧表を表示する。そして、その一覧表からユーザに選択された検索語に対応する説明文を検索して、その説明文を表示する。この説明文が表示されているときに、ユーザが特定入力部に対して入力操作をしたときは、表示手段の表示を説明文の表示から、検索語の入力のための表示に切り換えることを特徴としている（例えば、特許文献１参照）。
【特許文献１】特開平１０−１０５５６９号公報（段落番号〔００２１〕〜〔００２６〕、図１）。
ところで、ユーザが上記のようなサーバに対して、日付や時間帯を指定して楽曲やそのリストを検索させる場合には、検索結果として該当する楽曲の情報が得られないこともあり得る。例えば、放送された時間帯をユーザが間違って記憶していた場合等にこのような事態が発生するが、そのときには当然、時間帯や日付等の検索キーを変更して再度サーバに送信する。このような操作は、ＰＣでは容易に行うことが可能である。しかし、オーディオ機器や携帯型の情報端末等では、通常、ＰＣ等と比較して入力キーの数等が少なく、文字入力等が不可能であるため、このような操作を容易に行うことができないことが問題となっていた。
【発明の開示】
本発明はこのような点に鑑みてなされたものであり、放送コンテンツに関するリスト情報を検索して表示させる場合に、複雑なキー操作を行わずにその前／後に放送された番組に対応するリスト情報を表示させることが可能な表示装置を提供することを目的とする。
また、本発明の他の目的は、放送コンテンツに関するリスト情報を検索して表示させる場合に、複雑なキー操作を行わずにその前／後に放送された番組に対応するリスト情報を表示させることが可能な表示方法を提供することである。
さらに、本発明の他の目的は、放送コンテンツに関するリスト情報を検索して表示させる場合に、複雑なキー操作を行わずにその前／後に放送された番組に対応するリスト情報を表示させることが可能な表示制御プログラムを提供することである。
本発明では上記課題を解決するために、通信回線を通じて取得した、放送コンテンツに関する情報を表示する表示装置において、放送コンテンツのリスト情報から当該リスト情報の一部を特定する検索キーを送信する送信手段と、上記検索キーに応じた少なくとも一部のリスト情報を受信する受信手段と、上記受信手段により受信された上記一部のリスト情報と、当該一部のリスト情報の前／後に放送された番組に対応するリスト情報の表示を要求するための指示項目とを表示する表示手段とを有することを特徴とする表示装置が提供される。
ここで、送信手段は、例えば外部の情報サーバに対して、放送コンテンツのリスト情報から当該リスト情報の一部を特定する検索キーを送信する。受信手段は、検索キーの送信先から、この検索キーに応じた少なくとも一部のリスト情報を受信する。例えば、少なくとも検索キーに合致する番組のリスト情報を受信し、これに加えて、この番組の前／後に放送された番組に対応するリスト情報を受信してもよい。そして、表示手段は、受信手段により受信された、検索キーに応じたリスト情報を表示する。これと共に、当該リスト情報の前／後に放送された番組に対応するリスト情報の表示を要求するための指示項目を表示する。このような画面表示により、ユーザは、表示手段に表示されたリスト情報を選択する操作と一連の操作で指示項目を選択し、表示されているリスト情報の前／後に放送された番組に対応するリスト情報の表示を指示することが可能となる。
本発明の表示装置では、送信した検索キーに応じた少なくとも一部のリスト情報と、当該一部のリスト情報の前／後に放送された番組に対応するリスト情報の表示を要求するための指示項目とを表示手段に表示することで、ユーザは、表示されたリスト情報を選択する操作と一連の操作で指示項目を選択し、表示されているリスト情報の前／後に放送された番組に対応するリスト情報の表示を指示することが可能となる。従って、表示装置は、ユーザに対して、例えば検索キーを再指定するためのステップに戻るため等の複雑なキー操作を行わせずに、その前／後に放送された番組に対応するリスト情報を表示することが可能となる。
【図面の簡単な説明】  図１は、本発明を適用したネットワークシステムの動作原理を示す説明図である。
図２は、本発明による第１の実施の形態に係るネットワークシステムの構成例を示す図である。
図３は、放送局サーバのハードウェア構成例を示す図である。
図４は、本発明の実施の形態に係る端末装置の外観を示す図である。
図５は、本発明の実施の形態に係る端末装置のハードウェア構成を示すブロック図である。
図６は、本発明の実施の形態に係るシステムのプログラム構成を示す図である。
図７は、放送局サーバを検索してクリップする処理時における端末装置での画面表示の流れを示す図である。
図８は、検索開始から検索方法が選択されるまでの端末装置における画面表示例を示す図である。
図９は、時間帯検索が選択された場合の端末装置における画面表示例を示す図である。
図１０は、番組検索が選択された場合の端末装置における画面表示例を示す図である。
図１１は、時間帯検索が選択された場合における、端末装置と放送局サーバとの間の情報検索処理の流れを示すフローチャートである。
図１２は、番組検索が選択された場合における、端末装置と放送局サーバとの間の情報検索処理の流れを示す第１のフローチャートである。
図１３は、番組検索が選択された場合における、端末装置と放送局サーバとの間の情報検索処理の流れを示す第２のフローチャートである。
図１４は、本発明による第２の実施の形態に係る音楽関連サービス提供システムの全体構成を示す略線図である。
図１５は、クライアント端末の機能回路ブロックによるハードウェア構成を示すブロック図である。
図１６は、ディレクトリ構成を示す略線図である。
図１７は、ポータルサーバの機能回路ブロックによるハードウェア構成を示すブロック図である。
図１８は、音楽データ配信サーバの機能回路ブロックによるハードウェア構成を示すブロック図である。
図１９は、物販サーバの機能回路ブロックによるハードウェア構成を示すブロック図である。
図２０は、ラジオ放送情報配信サーバの機能回路ブロックによるハードウェア構成を示すブロック図である。
図２１は、クライアント端末及びポータルサーバ間のユーザ認証処理手順を示すシーケンスチャートである。
図２２は、クライアント端末及び音楽データ配信サーバ間のユーザ認証処理手順を示すシーケンスチャートである。
図２３は、音楽データ配信サービス提供処理手順を示すシーケンスチャートである。
図２４は、物販サービス提供処理手順を示すシーケンスチャートである。
図２５は、ラジオ放送情報（オンエアリスト情報）配信サービス提供処理手順（１）を示すシーケンスチャートである。
図２６は、ラジオ放送情報（ナウオンエア情報）配信サービス提供処理手順（２）を示すシーケンスチャートである。
【符号の説明】
１、１０……端末装置、１ａ……表示部、１ｂ……選択部、１ｃ……チューナ、１ｄ……画面、２……情報サーバ、２ａ……データベース、２ｂ……検索エンジン、３、ＮＴ１０００……ネットワーク、１１……ＣＰＵ、１６……表示処理部、１７……ディスプレイ、２１……ハードディスクドライブ、２２……通信処理部、２３……ネットワークインタフェース、２７……チューナ、３１……ＣＤタイトル情報提供サーバ、３２……放送局サーバ、３６……総合サービスサーバ、１００２……クライアント端末、１００３……ポータルサーバ、１００６……ラジオ放送情報配信サーバ、１０２３……制御部、１０２４……表示制御部、１０２５……表示部、１０３１……チューナ部、１０３２……通信制御部、１０２９……記憶媒体
【発明を実施するための最良の形態】  以下、本発明の実施の形態について、図面を参照して詳細に説明する。
（１）本発明を適用したネットワークシステムの動作原理
図１は、本発明を適用したネットワークシステムの動作原理を示す説明図である。まず、この図１を用いて、本発明の概要について説明する。
図１に示すネットワークシステムは、本発明が適用される端末装置１と、情報サーバ２とが、ネットワーク３を介して接続された構成を有している。
端末装置１は、情報サーバ２から受信した情報等を表示する表示部１ａや、表示部１ａにおける表示項目をユーザが選択するための選択部１ｂを具備している。また、端末装置１は、例えばＦＭラジオ等の放送を受信するチューナ１ｃ等を具備してもよい。この端末装置１としては、例えばオーディオ機器、あるいはＰＤＡ等の携帯型情報処理機器等が適用される。このような端末装置１は、チューナ１ｃにより放送を受信して音声や画像等を出力する機能と、放送の日付や時間帯等の検索条件をユーザからの入力に応じて指定して、情報サーバ２に対して検索を要求し、検索結果の情報を受信して表示部１ａに表示する機能とを具備する。
情報サーバ２は、所定の放送局から放送された楽曲に関する情報や、放送された番組に関する情報等が蓄積されたデータベース（ＤＢ）２ａと、このＤＢ２ａを検索する検索エンジン２ｂとを具備する。情報サーバ２は、端末装置１から送信された検索条件を用いて、ＤＢ２ａから所定の楽曲や番組に関する情報やそのリストを抽出し、端末装置１に送信する。なお、端末装置１及び情報サーバ２は、ネットワーク３を介してデータの送受信を行うための図示しない通信インタフェース（Ｉ／Ｆ）を共に具備している。
このようなネットワークシステムにおいて、ユーザは、端末装置１を用いて放送を視聴することができる。また、例えば放送された楽曲の中で気になったものがあれば、放送された日付や時間帯等を検索条件として指定して検索し、情報サーバ２からの検索結果を表示部１ａにより視認することができる。このとき、ユーザは、意図しない検索結果が得られた場合、（例えば、放送された日付や時間帯等をユーザが間違って記憶していて、目的のものと考えられる楽曲の情報が得られなかった場合等）、検索条件を変更する必要が生じる。
ここで、情報サーバ２からの検索結果を表示する端末装置１における画面１ｄには、検索により得られた情報のリストが表示される。このリストとしては、例えば、指定された日付に放送された番組のリストや、各番組内で放送された楽曲のリスト、指定された時間帯に放送された楽曲のリスト等を表示することができる。
これに加えて、端末装置１は、画面１ｄに対して、検索条件として指定された範囲より時間的に前のリスト及び後のリストの表示をユーザが指示するための指示項目を同時に表示する。端末装置１は、例えば、指定した時間帯の番組で放送された楽曲リストを表示した場合、指定された時間帯より１つ前及び１つ後の時間帯の番組で放送された楽曲のリストを表示させるための指示項目、あるいは、指定された時間帯の番組について、その前回に放送された楽曲及び次回に放送される楽曲のリストを表示させるための指示項目を、指定された時間帯における楽曲リストと共に表示しておく。また、端末装置１は、指定された日付に放送された番組のリストを表示した場合、その日付の前日及び翌日の放送番組のリストを表示するための項目を表示しておく。
ユーザは、表示された楽曲や番組のリストから、選択部１ｂの例えば上下２つの方向キーを操作することにより所望の情報を選択し、確定することで、端末装置１に対して例えばさらに詳しい情報を表示させることが可能となる。端末装置１は、この情報を例えば情報サーバ２から取得する。また、そーザは、表示された楽曲や番組のリストに所望のものがなかった場合、端末装置１に対して、上記と同様のキーを用いた一連の操作により、前のリスト又は後のリストの表示のための指示項目を選択し、確定することで、選択した指示項目に応じた前のリスト又は後のリストをさらに表示させることができる。
端末装置１は、前のリスト又は後のリストの表示のための指示項目が選択され、確定されたとき、情報サーバ２に対し、例えば、日付や時間帯等の検索条件を、前回より１つ前又は後のものにあらためて指定して再検索を要求し、当該情報サーバ２から新たな検索結果を読み込み、表示すればよい。
あるいは、端末装置１は、検索結果を受信する際に、そのときの検索条件から時間的に前及び後の条件を用いた検索結果を常に同時に受信しておき、このときの検索条件に合致する情報のみ表示部１ａに表示し、前及び後の条件を用いた検索結果を一時的に記憶しておく。そして、端末装置１は、前のリスト又は後のリストを表示するための指示項目が選択され、確定されると、その指示項目に応じた情報を、一時的に記憶しておいた情報から読み出して表示部１ａに表示するようにしてもよい。
以上のように、端末装置１は、前のリスト及び後のリストの表示のための項目を、検索結果のリストと共に表示し、例えばこのリストの選択からの一連の動作でユーザに対し項目を選択可能な状態にしておくことで、ユーザ所望の検索結果を得ることができる。そしてネットワークシステムは、オーディオ機器や携帯型情報処理機器等、文字入力が不可能で、少ない入力キーしか具備しない機器においても、端末装置１と同様に構成することにより、ユーザ所望の検索結果を容易に得ることが可能となる。
（２）第１の実施の形態
次に、上記のようなネットワークシステムの具体例を示し、本発明の実施の形態についてより詳しく説明する。なお、以下の説明では、楽曲又は楽曲集合に関する情報を二次記憶装置に保存（保管）する処理を、クリップと呼ぶこととする。また、クリップによって保存された情報を、クリップ情報と呼ぶこととする。
図２は、本発明の実施の形態に係るネットワークシステムの構成例を示す図である。
端末装置１０は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４、インターネットラジオサーバ３５、総合サービスサーバ３６等がある。
ＣＤタイトル情報提供サーバ３１は、市販されている音楽ＣＤに収録されている楽曲のタイトルやアルバムタイトル等を配信するサービスを行う。
放送局サーバ３２は、ＦＭ放送やテレビ（ＴＶ）放送等の放送局３７が管理するサーバであり、放送される楽曲や番組に関連する情報の提供サービス（ナウオンエア）を行う。放送局サーバ３２から提供される関連情報には、各番組で放送された、又は放送予定の楽曲についての情報が含まれる。具体的に放送局サーバ３２は、例えば、所望の番組内で放送された、あるいは放送予定の楽曲のリストや、各楽曲についての楽曲名、アーティスト名、この楽曲が収録されたＣＤアルバムの名称や識別ＩＤ等の情報を検索して提供することが可能となっている。なお、以下の説明では、放送された、あるいは放送予定の楽曲のリストを、オンエアリストと呼ぶことにする。
音楽配信サーバ３３は、楽曲のディジタル音声データ（楽曲データ）を配信するサービスを行うサーバである。例えば、音楽配信サーバ３３は、楽曲の購入手続きを行ったユーザの端末装置１０に対して、楽曲データを提供する。また、音楽配信サーバ３３は、配信する楽曲の関連情報や、試聴用の音声データ等を提供することができる。
ＣＤショップサーバ３４は、音楽ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
インターネットラジオサーバ３５は、インターネット等の広域ネットワーク経由で音声番組を提供するサーバである。
総合サービスサーバ３６は、ネットワーク３０を介したサービスの提供窓口（ポータルサイト）として機能し、上記の各サーバ等を用いた各種総合サービスの提供を仲介する。例えば、総合サービスサーバ３６は、放送されている楽曲の関連情報の配信元を示す情報（例えばＵＲＬ：Ｕｎｉｆｏｒｍ  Ｒｅｓｏｕｒｃｅ  Ｌｏｃａｔｏｒ）を、端末装置１０に配信する。また総合サービスサーバ３６は、受信地域の周波数に対応する放送局のコールサインを、端末装置１０に配信する。さらに総合サービスサーバ３６は、上記の各種総合サービスを利用するためのユーザの登録手続きや、利用時の認証手続き等の処理を行う。
このように、複数のサーバが、ネットワーク３０上の楽曲又は楽曲集合に関する情報の提供サービスを行っている。すなわち、各サーバが、ネットワーク３０上の楽曲又は楽曲集合のソースとして機能している。
なお、音楽配信サーバ３３とＣＤショップサーバ３４は、楽曲購入可能サーバである。従って、ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、音楽ＣＤを自宅に宅配してもらうことができる。
端末装置１０は、ＣＤ２９ａ、ＭＤ（Ｍｉｎｉ  Ｄｉｓｃ）２９ｂ、ハードディスクドライブ（ＨＤＤ：Ｈａｒｄ  Ｄｉｓｋ  Ｄｒｉｖｅ）２１等の記録媒体に、ローカル上の楽曲又は楽曲の集合のソースを保持している。なお、ＣＤ２９ａとＭＤ２９ｂは可搬型の記録媒体であり、端末装置１０に対して容易に着脱できる。端末装置１０に対してどのようなローカルソースが用意されるかは、端末装置１０の種類、目的により異なる。また、端末装置１０は、アンテナ２６を介して放送されるコンテンツを受信することができる。
なお、図２に示したローカル上の楽曲又は楽曲集合のソースは一例である。すなわち、端末装置１０は、当該端末装置１０のローカルに存在する記録媒体であれば、かかる記録媒体に対して楽曲又は楽曲集合を記録することで、その記録媒体をローカル上の楽曲又は楽曲の集合のソースとして機能させることができる。
また、端末装置１０は、クリップした関連情報（クリップ情報）を記憶するクリップ情報記憶装置２１ａを備えている。クリップ情報記憶装置２１ａは、端末装置１０の二次記憶装置である。例えば、端末装置１０は、ＨＤＤ２１等の記憶領域の一部を、クリップ情報記憶装置２１ａとして機能させることができる。なお、端末装置１０は、クリップを楽曲に対しても、楽曲集合に対しても行うことができる。これにより、気になる楽曲が多数含まれたＦＭ番組、ＣＤアルバム等については、まるごとクリップすることで、１回のクリップ動作で、気になる楽曲集合の関連情報を記録することができる。
図３は、放送局サーバ３２のハードウェア構成例を示す図である。
放送局サーバ３２は、ＣＰＵ（Ｃｅｎｔｒａｌ  Ｐｒｏｃｅｓｓｉｎｇ  Ｕｎｉｔ）３２ａによって装置全体が制御されている。ＣＰＵ３２ａには、バス３２ｇを介してＲＡＭ（Ｒａｎｄｏｍ  Ａｃｃｅｓｓ  Ｍｅｍｏｒｙ）３２ｂ、ハードディスクドライブ（ＨＤＤ）３２ｃ、グラフィック処理部３２ｄ、入力インタフェース（Ｉ／Ｆ）３２ｅ、及び通信インタフェース（Ｉ／Ｆ）３２ｆが接続されている。
ＲＡＭ３２ｂには、ＣＰＵ３２ａに実行させるＯＳ（Ｏｐｅｒａｔｉｎｇ  Ｓｙｓｔｅｍ）のプログラムやアプリケーションプログラムの少なくとも一部が一時的に格納される。また、ＲＡＭ３２ｂには、ＣＰＵ３２ａによる処理に必要な各種データが格納される。ＨＤＤ３２ｃには、ＯＳやアプリケーションプログラムが格納される。また、ＨＤＤ３２ｃには、端末装置１０に対して提供する音声データ等が格納される。
グラフィック処理部３２ｄには、ディスプレイ３２ｈが接続されている。グラフィック処理部３２ｄは、ＣＰＵ３２ａからの命令に従って、画像をディスプレイ３２ｈの画面に表示させる。入力インタフェース３２ｅには、キーボード３２ｉとマウス３２ｊとが接続されている。入力インタフェース３２ｅは、キーボード３２ｉやマウス３２ｊから送られてくる信号を、バス３２ｇを介してＣＰＵ３２ａに送信する。
通信インタフェース３２ｆは、ネットワーク３０に接続されている。通信インタフェース３２ｆは、ネットワーク３０を介して、他のコンピュータとの間でデータの送受信を行う。
以上のようなハードウェア構成によって、本実施の形態の処理機能を実現することができる。なお、図３には、放送局サーバ３２のハードウェア構成を代表的に説明したが、他のサーバも同様のハードウェア構成で実現することができる。
ところで、本実施の形態における端末装置１０は、楽曲の再生機能を有するオーディオ機器としての機能を兼ね備えている。
図４は、端末装置１０の外観を示す図である。
図４に示すように、本実施の形態に係る端末装置１０は、一般的なシステムコンポと同様の外観をしている。端末装置１０は、装置本体１０ａ、スピーカ２５ａ，２５ｂ、及びリモートコントローラ４０で構成される。装置本体１０ａには、ＣＤの再生機能、ＭＤの録音再生機能、及びＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、ディスプレイ１７が設けられている。ディスプレイ１７には、再生中の楽曲の楽曲情報や、クリップによって保存されたクリップ情報等が表示される。
リモートコントローラ４０は、装置本体１０ａを遠隔操作するための入力装置である。リモートコントローラ４０には複数の操作キーが設けられている。リモートコントローラ４０は、ユーザによって操作キーが押されると、赤外線等の無線の通信手段により、押された操作キーに応じた信号を装置本体１０ａに送信する。
操作キーとしては、方向キー４１ａ〜４１ｄ，決定キー４２、ファンクション選択キー４３ａ〜４３ｃ、ツールキー４４、戻るキー４５等がある。
方向キー４１ａ〜４１ｄは、例えば、ディスプレイ１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、ディスプレイ１７に表示された内容を確定するために使用される。
ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キーが押されると、装置本体１０ａは、押されたファンクション選択キーに対応する機能の動作モードになる。
ツールキー４４は、ディスプレイ１７上にツールメニューを表示させるためのボタンである。ツールメニュー内には、ディスプレイ１７に表示されている内容に応じたコマンドが表示される。端末装置１０は、ユーザにより方向キー４１ａ〜４１ｄを操作して任意のコマンドが選択され、さらに決定キー４２が押されると、選択されたコマンドに応じた処理を実行する。
戻るキー４５は、ディスプレイ１７の表示内容を、直前の状態に戻すためのボタンである。
なお、リモートコントローラ４０には、図４に示したもの以外にも様々な操作キーを設けることができる。例えばかかる操作キーとしては、音量調節キー、ＣＤやＭＤの再生キー、停止キー等がある。
次に、端末装置１０の内部構成を説明する。
図５は、端末装置１０のハードウェア構成を示すブロック図である。図５に示すような端末装置１０により、楽曲等の様々なソースを管理、記録、再生することが可能となる。
ＣＰＵ（Ｃｅｎｔｒａｌ  Ｐｒｏｃｅｓｓｉｎｇ  Ｕｎｉｔ）１１は、起動されたプログラムに基づいて端末装置１０の全体の制御、演算処理を行う。例えばネットワーク３０を介した通信動作、ユーザに対する入出力動作、メディアからのコンテンツ再生やクリップ操作、ＨＤＤ２１へのコンテンツ記憶やそのための管理、クリップ情報等に基づくネットワーク３０を介した情報検索等を行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ（Ｒａｎｄｏｍ  Ａｃｃｅｓｓ  Ｍｅｍｏｒｙ）２０には、ＣＰＵ１１が実行すべきプログラムが展開される。またＲＡＭ２０は、ＣＰＵ１１が各種処理を実行する際において必要となるデータ領域、タスク領域としても用いられる。
操作入力部１５は、端末装置１０の筐体に設けられた操作キーやジョグダイヤル、タッチパネル等の各種操作子等を有する。なお、端末装置１０には、ＧＵＩ（Ｇｒａｐｈｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示処理部１６には、ディスプレイ１７として、例えば液晶ディスプレイ等の表示デバイスが接続される。そしてディスプレイ１７には各種情報が表示される。ＣＰＵ１１が各種動作状態や入力状態、通信状態に応じて表示情報を表示処理部１６に供給すると、表示処理部１６は供給された表示データに基づいてディスプレイ１７に表示動作を実行させる。例えば、ディスプレイ１７には、サーバ等から配信された楽曲情報の内容や、クリップ情報の内容が表示される。またディスプレイ１７には、ネットワーク３０を介した楽曲の検索が行われた場合、検索結果が表示される。
メディアドライブ１９ｃ及び１９ｄは、可搬型の記録媒体に記録された楽曲等のコンテンツを記録、再生（記録媒体によって再生のみの場合もある）することができるドライブである。なお、メディアドライブ１９ｃ及び１９ｄのそれぞれが記録、又は再生可能な記録媒体の種類は、１種類とは限らない。すなわちメディアドライブ１９ｃ及び１９ｄは、複数の種類の記録媒体に対して記録、再生を行うことも可能である。例えば、メディアドライブ１９ｃがＣＤ、ＤＶＤ（Ｄｉｇｉｔａｌ  Ｖｅｒｓａｔｉｌｅ  Ｄｉｓｃ）の再生を行い、メディアドライブ１９ｄがＭＤの記録再生を行う。
なお、楽曲等のコンテンツを記録する可搬型の記録媒体としては、ＣＤ、ＤＶＤ等の光学的な記録媒体に限定されるべきものではない。例えば、かかる記録媒体としては、コンテンツを格納したフラッシュメモリ等の半導体メモリにより構成された記録媒体を用いることができる。その場合、フラッシュメモリのリーダライタがバス１２に接続される。
ユーザは、メディアドライブ１９ｃ，１９ｄに、任意のコンテンツが記録された記録媒体（ＣＤ，ＤＶＤ，ＭＤ等）を挿入し、リモートコントローラ４０に対して所定の操作を行うことで、楽曲を鑑賞することができる。例えば、ユーザがリモートコントローラ４０を操作し、メディアドライブ１９ｃによる再生指示を行うと、ＣＰＵ１１はメディアドライブ１９ｃに対してコンテンツの再生を指示する。これに応じて、メディアドライブ１９ｃは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオ出力処理部２４に転送される。オーディオ出力処理部２４は、オーディオデータに対し、イコライジング等の音場処理や音量調整、Ｄ／Ａ変換、増幅等の処理を施し、スピーカ部２５から出力する。なお、スピーカ部２５は、図４に示したような複数のスピーカ２５ａ，２５ｂで構成され、ステレオで音声を出力することができる。
また、メディアドライブ１９ｃ及び１９ｄにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚ、１６ビット量子化によるディジタルオーディオデータとしてもよい。また、かかるコンテンツは、ＨＤＤ２１の容量を節約するために、所定方式に従って圧縮処理が施された形式の圧縮オーディオデータとされてもよい。また、圧縮方式は何ら限定されるものではないが、例えばＡＴＲＡＣ（Ａｄｖａｎｃｅｄ  ＴＲａｎｓｆｏｒｍ  Ａ−ｃｏｕｓｔｉｃ  Ｃｏｄｉｎｇ、商標）方式やＭＰ３（ＭＰＥＧ  Ａｕｄｉｏ  Ｌａｙｅｒ−３）方式等を採用することができる。
チューナ部２７は、例えばＡＭ・ＦＭラジオチューナとされ、ＣＰＵ１１の制御に基づいてアンテナ２６で受信された放送信号を復調する。もちろんチューナ部２７は、テレビチューナや衛星放送チューナ、ディジタル放送チューナ等としてのチューナでもよい。復調された放送音声信号は、オーディオ出力処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データをネットワークを介して所定の外部ネットワーク対応機器に送信する。また、ネットワークインタフェース２３は、ネットワークを介して外部ネットワーク対応機器から送信されてきた信号を通信処理部２２に受け渡す。通信処理部２２は受信した情報をＣＰＵ１１に転送する。ネットワーク３０を介して受信する情報には、例えば、ＦＭ放送等で放送中の番組の楽曲情報や、ＣＤ等のタイトルに含まれる楽曲の情報等がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
なお、端末装置１０の構成は、この図５の構成に限られるものではなく、更に多様に考えられる。例えば端末装置１０には、ＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４、Ｂｌｕｅｔｏｏｔｈ等の通信方式による周辺機器とのインタフェースを設けるようにしてもよい。そして端末装置１０は、上記ネットワークインタフェース２３によりネットワーク３０を介してダウンロードしたオーディオのコンテンツや、上記ＵＳＢ、ＩＥＥＥ１３９４等のインタフェースを経由して転送されてきたオーディオのコンテンツについても、ＨＤＤ２１に対して記憶することができる。また端末装置１０には、マイクロホンや外部のヘッドホンの接続に用いられる端子や、ＤＶＤ再生時に対応するビデオ出力端子、ライン接続端子、光ディジタル接続端子等を設けてもよい。また端末装置１０は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｃｃｏｃｉａｔｉｏｎ）スロット、メモリカードスロット等が形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
図６は、端末装置１０のプログラムモジュール構成を示す図である。
図６に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤショップサーバ３４、総合サービスサーバ３６、インターネットラジオサーバ３５、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、及び総合サービスサーバ３６等の各種サーバとの間のやりとりをＨＴＴＰ通信で行うものである。コミュニケータプログラム１１２は、総合サービスサーバ３６等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局及び再生を行うインターネットラジオ選局再生モジュール１１８が設けられている。著作権保護情報管理モジュール１１４の上位には、楽曲購入及び試聴曲の再生を司る楽曲購入再生モジュール１１９が設けられている。
それらインターネットラジオ選局再生モジュール１１８、楽曲購入再生モジュール１１９の上位には、ＸＭＬ（ｅＸｔｅｎｓｉｂｌｅ  Ｍａｒｋｕｐ  Ｌａｎｇｕａｇｅ）ブラウザ１５１が設けられている。ＸＭＬブラウザ１５１は、各種サーバから送られるＸＭＬファイルの内容を解釈し、ディスプレイ１７に対して画面表示を行う。また、端末装置１０が総合サービス利用モードのときにユーザが端末装置１０に対して行った入力内容は、ＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３６やその他の各種サーバの認証処理を行う。
さらにコミュニケータプログラム１１２の上位には、データベースアクセスモジュール１１５、コンテンツデータアクセスモジュール１１６及びハードディスクコンテンツコントローラ１１７が設けられている。データベースアクセスモジュール１１５は、ＨＤＤ２１に構築された各種データベースにアクセスする。コンテンツデータアクセスモジュール１１６は、ＨＤＤ２１に格納されたコンテンツにアクセスする。ハードディスクコンテンツコントローラ１１７は、ＨＤＤ２１に格納されたコンテンツを管理する。
ハードディスクコンテンツコントローラ１１７の上位には、関連情報表示モジュール１２０、チューナ選局再生／録音モジュール１２１、及び楽曲購入再生モジュール１１９が設けられている。関連情報表示モジュール１２０は、ラジオ局が放送した楽曲のタイトル及びアーティスト名等をディスプレイ１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によって現在ラジオ局が放送している楽曲のタイトルやアーティスト名等を、関連情報としてＣＤタイトル情報提供サーバ３１、放送局サーバ３２等からＨＴＴＰメッセージプログラム１１１経由で受信し、これをオーディオユーザインタフェース１５２を介してディスプレイ１７に表示する。
なお、オーディオユーザインタフェース１５２を介してディスプレイ１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれている。そしてＣＤ再生モジュール１４１やＨＤＤ再生モジュール１４２は、ＣＤやＨＤＤからの再生結果をオーディオデータ処理部２４及びスピーカ部２５を介して出力する。
次に、上記の端末装置１０を用いたクリップ処理について説明する。
端末装置１０では、端末装置１０内の各記憶媒体や、ネットワーク３０上に存在する楽曲や楽曲集合について、それらに関する情報をクリップし、クリップ情報として保存することが可能となっている。最も基本的なクリップの処理は、ＦＭ放送等の放送受信中に、放送されている楽曲に関する関連情報を、対応する放送局サーバ３２から取得することである。この場合、例えば、端末装置１０は、３０秒といった一定時間間隔で、受信中の放送局に対応する放送局サーバ３２にアクセスし、最新の関連情報（すでに放送された、あるいは放送予定の楽曲に関する情報）を取得する。そして、ユーザからのクリップ操作を検出すると、その時点で受信していた関連情報をクリップ情報として保存する。
クリップした関連情報には、その楽曲の曲名、アーティスト名の他、例えば、その楽曲が収録されているアルバム名や、そのアルバムの識別ＩＤ等が含まれる。そして、ユーザは例えば、端末装置１０を用いて音楽配信サーバ３３やＣＤショップサーバ３４にアクセスし、クリップ情報中のアルバムの識別ＩＤをこれらのサーバに通知することにより、そのアルバムの購入手続きを行うことが可能となる。
なお、クリップ処理では、楽曲単位の他、楽曲集合の単位でそれらに関する情報をクリップ情報として保存することが可能である。例えば、放送受信中のクリップ処理では、クリップ時に放送中の番組で放送される楽曲のリスト（オンエアリスト）を単位として、１つのクリップ情報として保存することが可能である。
また、放送局サーバ３２からの情報を用いたクリップ処理で取得し、保存することが可能な情報は、現在放送中のものを含む楽曲又は楽曲集合に限らない。ユーザは、端末装置１０において日付や時間帯等を検索条件として指定し、放送局サーバ３２に送信して、検索結果として楽曲や楽曲集合を取得する。そして、取得した情報の中から所望のものを選択してクリップし、クリップ情報として保存する。
以下、放送局サーバ３２を検索してクリップする処理について詳しく説明する。まず、この処理全体の概要について説明する。
図７は、放送局サーバ３２を検索してクリップする処理時における端末装置１０での画面表示の流れを示す図である。
端末装置１０では、リモートコントローラ４０の例えばファンクション選択キー４３ｃが押下されることにより、放送局サーバ３２を検索するファンクションに設定される。ここでは例として、ＦＭ放送についての情報を検索するものとすると、このとき、ディスプレイ１７には、ＦＭ局を選択するための画面１７１が表示される。
ディスプレイ１７には、画面１７１において、ユーザの操作に応じてＦＭ局が選択されると、次に、検索方法を選択するための画面１７２が表示される。検索方法としては、日付と時間帯とを指定して、その時間帯に放送されていた楽曲を検索する方法と、日付を指定してその日に放送された番組を選択した後、楽曲を検索する方法とが用いられる。以下、前者の方法を「時間帯検索」、後者の方法を「番組検索」と呼称する。
ディスプレイ１７には、画面１７２において時間帯検索が選択された場合、次に、日付と時間帯とを指定する画面１７３が表示される。そしてＣＰＵ１１は、この画面１７３において指定された日付と時間帯とを検索キーとして放送局サーバ３２を検索し、検索結果を画面１７４に一覧表示させる。この画面１７４には、指定された日付及び時間帯に放送された楽曲の一覧（オンエアリスト）が表示される。
ＣＰＵ１１は、画面１７４に表示させたうちの１つの楽曲を選択（クリップ）して、その楽曲に関する情報を保存することができる。また、ＣＰＵ１１は、表示された楽曲のリスト全体、すなわちオンエアリスト自体をクリップして、各楽曲に関する情報を保存することができる。また、ＣＰＵ１１は、クリップを行うと、保存したクリップ情報を画面１７５に表示させる。
一方、ＣＰＵ１１は、ディスプレイ１７に対し、画面１７２において番組検索が選択された場合、次に、日付を指定する画面１７６を表示させる。そして、ＣＰＵ１１は、この画面１７６において指定された日付を検索キーとして放送局サーバ３２を検索し、その日付において放送された番組のリストが画面１７７を表示させる。
さらに、ＣＰＵ１１は、ユーザが画面１７７上のいずれかの番組を選択すると、さらに放送局サーバ３２を検索し、その番組内で放送された楽曲のリストを画面１７８に表示させる。この画面１７８では、画面１７４と同様に、ユーザは表示されたうちのいずれかの楽曲、又はオンエアリスト自体をクリップすることができ、クリップ情報が画面１７５に表示される。
ここで、上記の各画面の具体的な画面表示例を示す。まず、図８は、検索開始から検索方法が選択されるまでの画面表示例を示す図である。
図８（Ａ）は、ＦＭ局を選択するための画面１７１の例を示している。この画面１７１には、選択部１７１ａにおいてＦＭ放送の局名が一覧表示される。ユーザは、リモートコントローラ４０の例えば方向キー４１ａ及び４１ｂを用いて、選択部１７１ａから所望の放送局名の項目を選択し、決定キー４２を押下することにより確定する。
また、図８（Ｂ）は、検索方法を選択するための画面１７２の例を示している。ユーザは、この画面１７２の選択部１７２ａにおいて、時間帯検索、番組検索のいずれかの項目を、上記と同様に例えば方向キー４１ａ及び４１ｂと決定キー４２を用いて選択する。
図９は、時間帯検索が選択された場合の画面表示例を示す図である。
図９（Ａ）は、日付及び時間帯を指定するための画面１７３の例を示している。ユーザは、この画面１７３の入力部１７３ａにおいて、例えば、方向キー４１ａ及び４１ｂによりカーソルを合わせた後、プルダウン画面に表示された数字を方向キー４１ｃ及び４１ｄで選択して決定キー４２を押下することで、所望の日付を指定する。なお、入力部１７３ａには、初期表示として現在の日付が表示された状態としてもよい。
そして、ＣＰＵ１１は、ユーザにより日付の指定後に、さらに、時間帯が一覧表示された選択部１７３ｂから、所望の時間帯の項目が選択・確定されると、検索を実行する。なお、時間帯の指定方法は上記のような方法に限らず、例えば、ユーザに数値を入力させてもよい。また、指定可能な時間帯は、１時間単位に限らない。
検索結果は、例えば図９（Ｂ）のように表示される。ＣＰＵ１１は、ユーザによりこの画面１７４において、指示項目１７４ａが選択・確定されると、表示させたオンエアリスト自体をクリップすることができる。また、選択部１７４ｂには、オンエアリストとして、指定された時間帯に放送された楽曲のリストが表示される。ユーザは、この選択部１７４ｂのいずれかの楽曲の項目を選択・確定することにより、その楽曲をクリップして、それに関する情報の表示及び保存を要求することができる。
ところで、このような検索時には、検索対象の楽曲が放送された日付や時間帯に対するユーザの記憶が不正確である場合が十分にあり得る。このため、画面１７３において日付や時間帯の入力をユーザが間違えて、画面１７４に、目的のものと思われる楽曲が表示されないという事態が発生する確率は、比較的高いと考えられる。また、放送を聞き逃したユーザが、聞き逃した時間帯に放送された楽曲を、その時間帯を順次変化させながら確認するという行為も考えられる。このような場合には、画面１７４から画面１７３に戻って、日付や時間帯をあらためて指定する必要が生じる。
このような検索条件の再指定は、例えば数字キーを具備するＰＣ等では比較的容易に行うことが可能である。しかし、端末装置１０は、限られた入力キーしか具備していないため、検索条件を再指定する操作は容易ではない。
そこで、ＣＰＵ１１は、検索結果（ここではオンエアリスト）を表示させた画面１７４において、指定された時間帯より前の時間帯、及び後の時間帯についての表示をそれぞれ要求するための指示項目１７４ｃ及び１７４ｄを、検索結果と共に表示させる。ＣＰＵ１１は、これらの指示項目１７４ｃ及び１７４ｄを、選択部１７４ｂ内の各楽曲の選択操作から一連の操作で選択可能な状態としておく。すなわち、ユーザは、同じ方向キー４１ａ及び４１ｂのみを用いて、選択部１７４ｂの各項目と指示項目１７４ｃ及び１７４ｄのいずれかを選択することが可能となる。ＣＰＵ１１は、ユーザがこれらの指示項目１７４ｃ及び１７４ｄを選択・確定することにより、このとき指定された時間帯より前又は後の時間帯に対応するオンエアリストを表示させることができる。
検索条件の再指定は、このように前後の時間帯についての情報を要求する場合が多い。従って検索を行う装置は、指示項目１７４ｃ及び１７４ｄを表示しておくことで、限られた入力キーのみ具備する場合でも、ユーザの操作性を阻害することなく、検索条件を再指定して新たな情報を表示させることが可能となる。
一方、図１０は、番組検索が選択された場合の画面表示例を示す図である。
図１０（Ａ）は、日付を指定するための画面１７６の例を示している。ユーザは、この画面１７６で、例えば上記の画面１７３における入力部１７３ａと同様に、入力部１７６ａにおいて、方向キー４１ａ〜４１ｄ及び決定キー４２を用いて、所望の日付を指定する。そして、ＣＰＵ１１は、指示項目１７６が選択・確定されることにより、検索を実行する。
検索結果は、例えば図１０（Ｂ）のように表示される。この図１０（Ｂ）は、指定された日付において放送された番組のリストが表示される画面１７７を示している。ユーザは、番組名の一覧が表示された選択部１７７ａから、所望の番組名の項目を選択・確定することにより、その番組内で放送された楽曲のリスト（オンエアリスト）の表示を要求することができる。
また、この画面１７７においても、上記の画面１７４の場合と同様に、その前の画面１７６において入力された日付が間違っていることがあり得る。このためＣＰＵ１１は、画面１７７に対し、前日及び後日の番組リストをそれぞれ表示させるための指示項目１７７ｂ及び１７７ｃを、番組リストと共に表示させ、選択部１７７ａ内の各番組名の選択操作から一連の操作で、指示項目１７７ｂ及び１７７ｃを選択可能な状態としておく。これにより、ユーザは、前画面に戻って日付をあらためて入力する操作を行うことなく、検索する日付を変更することが可能となる。
また、ＣＰＵ１１は、選択部１７７ａ内のいずれかの番組名の項目が選択・確定された場合、表示すべき画面を図１０（Ｃ）に示すように、その番組についてのオンエアリストを表示するための画面１７８に移行させる。ＣＰＵ１１は、画面１７８において、ユーザにより指示項目１７８ａが選択・確定されると、表示させたオンエアリスト自体をクリップすることができる。また、選択部１７８ｂには、オンエアリストとして、指定された番組において放送された楽曲のリストが表示される。ユーザは、この選択部１７８ｂのいずれかの楽曲の項目を選択・確定することにより、その楽曲をクリップさせて、それに関する情報の表示及び保存を要求することができる。
さらに、ＣＰＵ１１は、検索されたオンエアリストと共に、その番組について、前回の番組で放送された楽曲リスト、及び次回の番組で放送予定の楽曲リストをそれぞれ表示させるための指示項目１７８ｃ及び１７８ｄを表示させる。ＣＰＵ１１は、これらの指示項目１７８ｃ及び１７８ｄを、選択部１７８ｂ内の各楽曲の選択操作から一連の操作で選択可能な状態としておく。これによりＣＰＵ１１は、ユーザに対して、画面を切り換えて日付の変更や番組の選択操作をあらためて行わせることなく、同番組の前回あるいは次回のオンエアリストを表示させ、クリップすることが可能となる。
次に、検索方法が選択されてから、オンエアリストのクリップが可能となるまでの具体的な処理例について説明する。
図１１は、時間帯検索が選択された場合における、端末装置１０と放送局サーバ３２との間の情報検索処理の流れを示すフローチャートである。
図１１のフローチャートは、検索方法を選択するための画面１７２を端末装置１０のディスプレイ１７に表示させたときに、時間帯検索がユーザにより選択された場合に開始される。ステップＳ１１において、端末装置１０は、日付・時間帯を指定するための画面１７３を表示させ、リモートコントローラ４０によるユーザの入力操作に応じて、日付・時間帯の入力を受ける。そして端末装置１０は、入力された情報を検索条件として、放送局サーバ３２に対して送信する。
ステップＳ１２において、検索条件を受信した放送局サーバ３２は、指定された日付・時間帯に合致するオンエアリストをデータベースから検索する。また、ステップＳ１３において、放送局サーバ３２は、指定された時間帯の前、後の各時間帯に合致するオンエアリストを検索する。そして放送局サーバ３２は、ステップＳ１４において、指定された時間帯に合致するオンエアリストと、その前後の時間帯のオンエアリストとを、端末装置１０に送信する。
ステップＳ１５において、端末装置１０は、放送局サーバ３２から受信した情報のうち、指定した時間帯に合致するオンエアリストと、その前後の時間帯のオンエアリストを表示させるための指示項目とをディスプレイ１７に表示させる（画面１７４に相当）。また端末装置１０は、放送局サーバ３２から受信した、前後の時間帯のオンエアリストを、例えばＲＡＭ２０内に一時的に記憶させる。
そして、ステップＳ１６において、端末装置１０は、表示された画面に対して、ユーザにより前後の時間帯のオンエアリストを表示させるための指示項目が選択された場合、ステップＳ１７に進む。ステップＳ１７において、端末装置１０は、ステップＳ１５でＲＡＭ２０に一時的に記憶させたオンエアリストのうち、ステップＳ１６での選択に対応するオンエアリストをディスプレイ１７に表示させる。そして端末装置１０は、ステップＳ１６で選択された時間帯を新たに検索条件として指定し、放送局サーバ３２に送信する。
このように、端末装置１０は、指定した時間帯に合致するオンエアリストと共に、その前後の時間帯のオンエアリストを受信して一時的に記憶しておくことで、前後の時間帯のオンエアリストの表示要求が行われたときに、記憶しておいたオンエアリストを瞬時に表示させることが可能となる。
放送局サーバ３２は、ステップＳ１７で新たに指定された時間帯の前後の時間帯のオンエアリストを検索して、この検索結果を端末装置１０に送信する（ステップＳ１３及びステップＳ１４に対応）。端末装置１０は、受信したオンエアリストをＲＡＭ２０に一時的に記憶させる（ステップＳ１５に対応）。このとき、表示されているオンエアリストは変更されない。
なお、ステップＳ１６において、端末装置１０は、オンエアリスト内の楽曲の項目が選択された場合、すなわちクリップを行った場合、検索処理を終了する。そして端末装置１０は、放送局サーバ３２に対して、指定された楽曲に関する情報の送信を要求し、この情報を受信してクリップ情報としてＨＤＤ２１に記憶させると共に、ディスプレイ１７に表示させる。
以上の処理により、ユーザは、画面を切り換えて日付や時間帯の変更操作をあらためて行うことなく、前後の時間帯のオンエアリストを瞬時に表示させ、クリップすることが可能となる。
一方、図１２及び図１３は、番組検索が選択された場合における、端末装置１０と放送局サーバ３２との間の情報検索処理の流れを示すフローチャートである。
図１２のフローチャートは、検索方法を選択するための画面１７２を端末装置１０のディスプレイ１７に表示させたときに、番組検索がユーザにより選択された場合に開始される。ステップＳ２１において、端末装置１０は、日付を指定するための画面１７６を表示させる。端末装置１０は、ユーザの入力操作により日付が入力されると、入力情報を検索条件として、放送局サーバ３２に対して送信する。
ステップＳ２２において、検索条件を受信した放送局サーバ３２は、指定された日に放送された番組をデータベースから検索する。また、ステップＳ２３において、放送局サーバ３２は、指定日の前日、後日にそれぞれ放送された番組を検索する。そして、ステップＳ２４において、放送局サーバ３２は、指定日とその前後の日の番組リストを、端末装置１０に送信する。
ステップＳ２５において、端末装置１０は、放送局サーバ３２から受信した情報のうち、指定日の番組リストと、その前後の日の番組リストを表示させるための指示項目とをディスプレイ１７に表示させる（画面１７７に相当）。また、端末装置１０は、放送局サーバ３２から受信した、前後の日の番組リストをＲＡＭ２０内に一時的に記憶させる。
そして、ステップＳ２６において、端末装置１０は、ユーザにより前後の日の番組リストを表示させるための指示項目が選択された場合、ステップＳ２７に進む。ステップＳ２７において、端末装置１０は、ステップＳ２５でＲＡＭ２０に一時的に記憶させた番組リストのうち、ステップＳ２６での選択に対応する番組リストをディスプレイ１７に表示させる。そして、端末装置１０は、ステップＳ２６で選択された時間帯を新たに検索条件として指定し、放送局サーバ３２に送信する。このように、端末装置１０は、指定した日の番組リストと共に、その前後の日の番組リストを受信して一時的に記憶しておくことで、前後の日の番組リストの表示要求が行われたときに、記憶しておいた番組リストを瞬時に表示させることが可能となる。
放送局サーバ３２は、ステップＳ２７で新たに指定された日の前後の日の番組を検索して、この検索結果を端末装置１０に送信する（ステップＳ２３及びステップＳ２４に対応）。端末装置１０は、受信した番組リストをＲＡＭ２０に一時的に記憶させる。
また、ステップＳ２６において、端末装置１０は、番組リスト中から番組の項目が選択された場合は、その番組を検索キーとして放送局サーバ３２に検索を要求し、図１３のステップＳ２８に進む。ステップＳ２８において、放送局サーバ３２は、新たに指定された番組で放送された楽曲のリスト、すなわち指定された日の指定された番組に合致するオンエアリストを検索する。また、ステップＳ２９において、放送局サーバ３２は、指定された番組について、その前回の放送のオンエアリストを検索する。また、放送局サーバ３２は、同じ番組について、次回の放送で予定されるオンエアリストがデータベースに蓄積されている場合、このオンエアリストも検索する。ステップＳ３０において、放送局サーバ３２は、指定された番組のオンエアリストと、前回及び次回のオンエアリストとを、端末装置１０に送信する。
ステップＳ３１において、端末装置１０は、放送局サーバ３２から受信した情報のうち、指定した番組のオンエアリストと、その前回及び次回のオンエアリストを表示させるための指示項目とをディスプレイ１７に表示させる（画面１７８に相当）。また、端末装置１０は、放送局サーバ３２から受信した、前回及び次回の各オンエアリストをＲＡＭ２０内に一時的に記憶させる。
そして、ステップＳ３２において、端末装置１０は、表示された画面に対して、ユーザにより前回又は次回のオンエアリストを表示させるための指示項目が選択された場合、ステップＳ３３に進む。ステップＳ３３において、端末装置１０は、ステップＳ３２でＲＡＭ２０に一時的に記憶させたオンエアリストのうち、ステップＳ３２での選択に対応するオンエアリストをディスプレイ１７に表示させる。そして、端末装置１０は、例えばフラグ情報等の制御情報を放送局サーバ３２に送信して、ステップＳ３２での選択に応じた回の番組のオンエアリストを要求する。
このように、端末装置１０は、指定した日の番組のオンエアリストと共に、その前回及び次回のオンエアリストを受信して一時的に記憶しておくことで、同じ番組の前回及び次回のオンエアリストの表示要求が行われたときに、記憶しておいたオンエアリストを瞬時に表示させることが可能となる。
放送局サーバ３２は、ステップＳ３３で指定された回に対して、その前後の回における番組のオンエアリストを検索して、この検索結果を端末装置１０に送信する（ステップＳ２９及びステップＳ３０に対応）。端末装置１０は、受信したオンエアリストをＲＡＭ２０に一時的に記憶させる（ステップＳ３１に対応）。
なお、ステップＳ３２において、端末装置１０は、オンエアリスト内の楽曲がクリップされた場合、検索処理を終了する。そして、端末装置１０は、放送局サーバ３２に対して、指定された楽曲に関する情報の送信を要求し、この情報を受信してクリップ情報としてＨＤＤ２１に記憶させると共に、ディスプレイ１７に表示させる。
以上の処理により、ユーザは、画面を切り換えて日付や番組名の変更操作をあらためて行うことなく、前後の日の番組リストや、同じ番組の前回、次回についてのオンエアリストを瞬時に表示させ、選択操作することが可能となる。
なお、以上の各フローチャートでは、放送局サーバ３２に対して検索を要求した際に、検索条件に合致するリストと共に、その前後に相当するリストを同時に端末装置１０で受信するようにしたが、当然、検索条件に合致するリストのみを受信するようにしてもよい。この場合は、端末装置１０は、リストと共に表示させた、その前後に相当するリストを表示させるための指示項目が選択された場合、選択に応じて変更された検索条件に合致するリストを再度放送局サーバ３２に要求する。従って、端末装置１０は、指示項目が選択され、該当するリストを放送局サーバ３２から受信した後に、そのリストをディスプレイ１７に表示させる。従って、端末装置１０の処理には、ネットワーク３０や放送局サーバ３２の状態に応じて、指示項目の選択からリストの表示までの間に遅延が生じる場合がある。
なお、上記の端末装置１０の処理機能は、この処理内容を記述したプログラムが、端末装置１０内のＣＰＵ１１で実行されることにより実現される。また、同様なプログラムがコンピュータのＣＰＵで実行されることにより、上記処理機能がコンピュータにより実現されてもよい。処理内容を記述したプログラムは、端末装置１０やコンピュータで読み取り可能な記録媒体に記録しておくことができる。このような記録媒体としては、磁気記録装置、光ディスク、光磁気記録媒体、半導体メモリ等がある。磁気記録装置には、ＨＤＤ、フレキシブルディスク（ＦＤ）、磁気テープ等がある。光ディスクには、ＤＶＤ、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）等がある。光磁気記録媒体には、ＭＯ（Ｍａｇｎｅｔｏ−Ｏｐｔｉｃａｌ  ｄｉｓｋ）等がある。
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
プログラムを実行する端末装置１０やコンピュータは、例えば、可搬型記録媒体に記録されたプログラム又はサーバコンピュータから転送されたプログラムを、自己の記憶装置に格納する。端末装置１０の場合、例えばＨＤＤ２１等に格納する。そして、端末装置１０やコンピュータは、自己の記憶装置からプログラムを読み取り、プログラムに従った処理を実行する。なお、端末装置１０やコンピュータは、可搬型記録媒体から直接プログラムを読み取り、そのプログラムに従った処理を実行することもできる。また、サーバコンピュータからプログラムが転送される毎に、逐次、受け取ったプログラムに従った処理を実行することもできる。
（３）第２の実施の形態
次に、上述したような、放送局サーバ３２による番組リストやオンエアリストを提供するサービスが、複数のサービスサーバのうちのひとつのサーバにより実現されるようなサービスシステムについて、第２の実施の形態により詳細に説明する。本サービスシステムはシングルサインオン機能を有している。
（３−１）音楽関連サービス提供システムのシステム構成
図１４において、１０００は全体として音楽関連サービス提供システムを示し、この音楽関連サービス提供システム１０００の運営業者と契約しているユーザのクライアント端末１００２と、当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  ＴＲａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（３−２）クライアント端末１００２の機能回路ブロック構成
次にクライアント端末１００２の機能回路ブロックによるハードウェア構成を説明する。図１５に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デゴーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  Ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
クライアント端末１００２の制御部１０２３は、記憶媒体１０２９に対して記憶するコンテンツデータを、図１６に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
（３−３）ポータルサーバ１００３の機能回路ブロック構成
次に、図１７を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉ−ｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉ−ｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（３−４）音楽データ配信サーバ１００４の機能回路ブロック構成
次に、図１８を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（３−５）物販サーバ１００５の機能回路ブロック構成
次に、図１９を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（３−６）ラジオ放送情報配信サーバ１００６の機能回路ブロック構成
次に、図２０を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（３−７）各サーバの処理概要
次に図２１乃至図２６に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（３−７−１）クライアント端末１００２及びポータルサーバ１００３間のユーザ認証処理手順
まず図２１を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信されたユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信されたその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信された、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（３−７−２）クライアント端末１００２及び各サーバ１００４乃至１００６間のユーザ認証処理手順
次に、図２２において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図２１について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方共に同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信されたサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信されたユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信された認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
（３−７−３）音楽関連サービス提供処理
続いて図２３乃至図２６において、図２２について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（３−７−３−１）音楽データ配信サービス提供処理手順
まず図２３を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用のページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に対し一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５により、クライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、その音楽データ配信サーバ１００４から受信したサービスセッションＩＤ情報等を認証処理部１０３７に送出する。
認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（３−７−３−２）物販サービス提供処理手順
次に図２４を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用のページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に対し一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５により、クライアント端末１００２に対し発行していたサービスセッションＩＤ情報等の有効期限を延長させて、次のステップＳＰ１０４３に移る。
そしてステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に対し一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（３−７−３−３）オンエアリスト情報配信サービス提供処理手順
次に図２５を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対し発行していたサービスセッションＩＤ情報等の有効期限を延長させて、次のステップＳＰ１０６３に移る。
そしてステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（３−７−３−４）ナウオンエア情報配信サービス提供処理手順
次に図２６を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０において、クライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、そのクライアント端末１００２から受信したユーザＩＤ情報及びパスワード情報等を認証処理部１０５６に送出する。
認証処理部１０５６は、制御部１０５０の制御のもと、クライアント端末１００２から受信されたユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そして制御部１０５０は、このように認証処理部１０５６によりユーザが正規ユーザであると認証されると、次のステップＳＰ１０７２に移る。
ステップＳＰ１０７２において、制御部１０５０は、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索してリスト化し読み出す。
これにより制御部１０５０は、周波数情報記憶部１０５８からリスト化して読み出した周波数情報、ラジオ局名及びコールサインを、上述のステップＳＰ１０７１において認証処理部１０５６によりクライアント端末１００２に対して発行された認証セッションＩＤ情報等と共に通信制御部１０５２及びネットワークインタフェース１６５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
これにより認証処理部１０３７は、制御部１０２３の制御のもと、ポータルサーバ１００３から受信された認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５に対しそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において、制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
従って音声制御部１０２６は、チューナ部１０３１から与えられる音声データをアナログ音声信号に変換してスピーカ１０２７に送出することにより当該スピーカ１０２７から、選択されたラジオ番組の音声を出力させることができる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
またラジオ放送表示制御部１０３９は、制御部１０２３の制御のもとに、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもとに、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３３に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図２２について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図２２について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもとに再び、記憶媒体１０２９等に一時記憶していたＵＲＬ情報に従ってナウオンエア情報要求信号を、すでにラジオ放送情報配信サーバ１００６から受信して認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
これにより認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そして制御部１１１０は、認証処理部１１１５により、クライアント端末１００２を利用するユーザが正規ユーザであると認証されると、当該認証処理部１１１５により、そのクライアント端末１００２に対し発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
これにより認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に対し、現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
なおこの実施の形態の場合、図２５に示すシーケンスチャートが、第１の実施の形態で上述した放送局サーバ３２による、番組リスト、すなわちオンエアリストの提供サービスに対応している。
また図２６について上述したシーケンスチャートにおいて、ステップＳＰ１０７８乃至ステップＳＰ１０８２が、本願特許請求の範囲に記載の事項に対応している。
以上の構成によれば、音楽関連サービス提供システム１０００では、係るシステム１０００の提供する音楽関連サービスを受けるように登録したユーザを的確に認証したうえで、当該ユーザの利用するクライアント端末２に対し、ラジオ放送等の放送情報に含まれる楽曲等のコンテンツに関する関連情報（ナウオンエア情報やオンエアリスト情報等）を取得させることができる。
従って、この音楽関連サービス提供システム１０００では、第三者がかかる関連情報を取得して不当に利用することをほぼ確実に防止することができる。
なお、第２の実施の形態の場合、図１５について上述したクライアント端末１００２は、本発明の端末装置１及び第１の実施の形態による端末装置１０に対応している。また図１７について上述したポータルサーバ１００３は、第１の実施の形態による総合サービスサーバ３６に対応している。さらに図２０について上述したラジオ放送情報配信サーバ１００６は、第１の実施の形態による放送局サーバ３２に対応している。
これに加えて図１８について上述した音楽データ配信サーバ１００４は、第１の実施の形態による音楽配信サーバ３３に対応している。また図１９について上述した物販サーバ１００５は、第１の実施の形態によるＣＤショップサーバ３４に対応している。
ところで図６について上述した端末装置１０のプログラムモジュールにおいてＨＴＴＰメッセージプログラム１１１及びコミュニケータプログラム１１２は、図１５について上述したクライアント端末１００２の通信制御部１０３２と同様の機能を実現可能なプログラムモジュールである。
またコンテンツ再生モジュール１１３は、図１５について上述したクライアント端末１００２のエンコーダ／デコーダ部１０３４と同様の機能を実現可能なプログラムモジュールである。
さらに著作権保護情報管理モジュール１１４は、図１５について上述したクライアント端末１００２の著作権管理部１０３５と同様の機能を実現可能なプログラムモジュールである。
さらにインターネットラジオ選局再生モジュール１１８は、図１５について上述したクライアント端末１００２の制御部１０２３及び音声制御部１０２６と同様の機能を実現可能なプログラムモジュールである。
さらに楽曲購入再生モジュール１１９は、図１５について上述したクライアント端末１００２の制御部１０２３及び音声制御部１０２６と同様の機能を実現可能なプログラムモジュールである。
さらにＸＭＬブラウザ１５１は、図１５について上述したクライアント端末１００２の入力処理部１０２１及びページ情報生成部１０３６と同様の機能を実現可能なプログラムモジュールである。
さらにハードディスクコンテンツコントローラ１１７及びデータベースアクセスモジュール１１５並びにコンテンツデータアクセスモジュール１１６は、図１５について上述したクライアント端末１００２の制御部１０２３と同様の機能を実現可能なプログラムモジュールである。
さらにライブラリ１３０の認証ライブラリ１３１は、図１５について上述したクライアント端末１００２の認証処理部１０３７及び認証情報記憶部１０３８と同様の機能を実現可能なプログラムモジュールである。
さらにライブラリ１３０のクリップライブラリ１３２は、図１５について上述したクライアント端末１００２の制御部１０２３と同様の機能を実現可能なプログラムモジュールである。
さらに関連情報表示モジュール１２０は、図１５について上述したクライアント端末１００２のラジオ放送表示制御部１０３９と同様の機能を実現可能なプログラムモジュールである。
さらにチューナ選局再生／録音モジュール１２１は、図１５について上述したクライアント端末１００２の制御部１０２３及び音声制御部１０２６並びにチューナ部１０３１と同様の機能を実現可能なプログラムモジュールである。
さらにオーディオユーザインタフェース１５２は、図１５について上述したクライアント端末１００２の入力処理部１０２１及び制御部１０２３並びに表示制御部１０２４と同様の機能を実現可能なプログラムモジュールである。
さらにＣＤ再生モジュール１４１は、図１５について上述したクライアント端末１００２の音声制御部１０２６及び外部記録媒体記録再生部１０２８と同様の機能を実現可能なプログラムモジュールである。
さらにＨＤＤ再生モジュール１４２は、図１５について上述したクライアント端末１００２の制御部１０２３及び音声制御部１０２６と同様の機能を実現可能なプログラムモジュールである。
従って図５について上述したハードウェア回路ブロックによるハードウェア構成の端末装置１０では、ＣＰＵ１１が上述の各種プログラムモジュールに従って、図１５について上述した機能回路ブロックによるハードウェア構成のクライアント端末１００２と同様の処理を実行することができる。
そしてクライアント端末１００２は、各機能ブロックがそれぞれ端末装置１０のプログラムモジュールで実現可能な機能を網羅していることにより、上述した第１の実施の形態よって得られる効果と同様の効果を得ることができる。
また上述の実施の形態においては、クライアント端末１００２が受信可能な放送としてラジオ局から放送されるラジオ放送を適用したが、これに限らず、クライアント端末１００２がインターネットラジオ放送や衛星ラジオ放送を受信して、その関連情報及びラジオ放送情報を取得するようにしたり、或いはテレビジョン用の放送局から放送されるテレビジョン放送を受信し、そのテレビジョン放送のテレビジョン番組に関する各種放送情報等をネットワークＮＴ１０００上のサーバから取得することも可能である。
さらに上述の実施の形態においては、本発明による表示装置を端末装置１０及びクライアント端末１００２に適用するようにした場合について述べたが、本発明はこれに限らず、パーソナルコンピュータや携帯電話機、ＰＤＡ（Ｐｅｒｓｏｎａｌ  Ｄｉｇｉｔａｌ  Ａｓｓｉｓｔａｎｃｅ）、ゲーム機器等の情報処理装置、テレビジョン受像機、ラジオ放送受信機、ＤＶＤ（Ｄｉｇｉｔａｌ  Ｖｅｒｓａｔｉｌｅ  Ｄｉｓｃ）レコーダ、ハードディスクレコーダ等のように、この他種々の表示装置に広く適用することができる。
すなわち、上述の実施の形態においては、ハードウェア回路ブロック、機能回路ブロック及びプログラムモジュールを端末装置１０やクライアント端末１００２に実装した場合について述べたが、本発明はこれに限らず、これらを携帯電話機やパーソナルコンピュータ等、端末装置１０及びクライアント端末１００２以外の種々の端末に実装するようにしてもよく、これらハードウェア回路ブロック、機能回路ブロック及びプログラムモジュールを実装した端末であれば、上述した端末装置１０及びクライアント端末１００２と同様の処理を実現することができる。
さらに上述の実施の形態においては、本発明による表示制御プログラムを図６について上述したプログラムモジュールに適用するようにした場合について述べたが、本発明はこれに限らず、この他種々の構成の表示制御プログラムに適用することができる。
さらに上述の実施の形態においては、通信回線を通じて取得した、放送コンテンツに関する情報として、オンエアリストを適用するようにした場合について述べたが、本発明はこれに限らず、ナウオンエアや、テレビジョン放送用の電子番組ガイド等のように、この他種々の情報を広く適用することができる。
さらに上述の実施の形態においては、放送コンテンツのリスト情報から当該リスト情報の一部を特定する検索キーを送信する送信手段として、図１乃至図２６について上述した端末装置１０の通信処理部２２及びネットワークインタフェース２３や、クライアント端末１００２の通信制御部１０３２を適用するようにした場合について述べたが、本発明はこれに限らず、表示装置の利用する通信方式に応じて、この他種々の送信手段を広く適用することができる。
さらに上述の実施の形態においては、検索キーに応じた少なくとも一部のリスト情報を受信する受信手段として、図１乃至図２６について上述した端末装置１０の通信処理部２２及びネットワークインタフェース２３や、クライアント端末１００２の通信制御部１０３２を適用するようにした場合について述べたが、本発明はこれに限らず、表示装置に利用される通信方式に応じて、この他種々の受信手段を広く適用することができる。
さらに上述の実施の形態においては、受信手段により受信された一部のリスト情報と、当該一部のリスト情報の前／後に放送された番組に対応するリスト情報の表示を要求するための指示項目とを表示する表示手段として、図１乃至図２６について上述した端末装置１０の表示処理部１６及びディスプレイ１７や、クライアント端末１００２の表示制御部１０２４及び表示部１０２５を適用するようにした場合について述べたが、本発明はこれに限らず、陰極線管及びこれに情報を表示するための制御部等のように、この他種々の表示手段を広く適用することができる。
さらに上述の実施の形態においては、表示手段上の表示情報を選択する選択手段として、図１乃至図２６について上述した端末装置１０の操作入力部１５及びリモートコントローラ４０や、クライアント端末１００２の操作入力部１０２０を適用するようにした場合について述べたが、本発明はこれ限らず、タッチパッド等のように、この他種々の選択手段を広く適用することができる。
さらに上述の実施の形態においては、受信手段により受信された情報を一時的に記憶する一時記憶手段として、図１乃至図２６について上述した端末装置１０のＣＰＵ１１及びハードディスクドライブ２１や、クライアント端末１００２の制御部１０２３及び記憶媒体１００２９を適用するようにした場合について述べたが、本発明はこれに限らず、コンテンツの関連情報を光磁気ディスクや半導体メモリ等の種々の記録媒体に一時記憶する、この他種々の一時記憶手段を広く適用することができる。
さらに上述の実施の形態においては、表示手段上の表示情報を選択する選択手段として、図１乃至図２６について上述した端末装置１０の操作入力部１５及びリモートコントローラ４０や、クライアント端末１００２の操作入力部１０２０を適用するようにした場合について述べたが、本発明はこれ限らず、タッチパッド等のように、この他種々の選択手段を広く適用することができる。
さらに上述の実施の形態においては、放送コンテンツを受信する放送受信手段として、図１乃至図２６について上述した端末装置１０のチューナ２７や、クライアント端末１００２のチューナ部１０３１を適用するようにした場合について述べたが、本発明はこれに限らず、テレビジョン放送や、インターネットラジオ放送を受信可能な受信回路等のように、この他種々の放送受信手段を広く適用することができる。
さらに上述の実施の形態においては、放送受信手段により受信された放送コンテンツを出力する放送出力手段として、図１乃至図２６について上述した端末装置１０の表示処理部１６及びディスプレイ１７や、クライアント端末１００２の表示制御部１０２４及び表示部１０２５を適用するようにした場合について述べたが、本発明はこれに限らず、陰極線管等のように、この他種々の放送出力手段を広く適用することができる。
さらに上述の実施の形態においては、認証機能を有する認証サーバとして、図１乃至図２６について上述した総合サービスサーバ３６及びポータルサーバ１００３を適用するようにした場合について述べたが、本発明はこれ限らず、認証機能のみを有するサーバ等のように、この他種々の認証サーバを広く適用することができる。
さらに上述の実施の形態においては、リスト情報を提供するリスト情報提供サーバとして、図１乃至図２６について上述した放送局サーバ３２及びラジオ放送情報配信サーバ１００６を適用するようにした場合について述べたが、本発明はこれに限らず、リスト情報を提供可能であれば、ＣＤタイトル情報提供サーバ３１や、テレビジョン放送局の運営するサーバ等のように、この他種々のリスト情報提供サーバを広く適用することができる。
さらに上述の実施の形態においては、リスト情報提供サーバから認証エラーを示す情報と共に、端末装置に対して送信する当該リスト情報提供サーバを識別するサービス識別情報として、図１乃至図２６について上述したショップコードを適用するようにした場合について述べたが、本発明はこれに限らず、リスト情報提供サーバを識別可能であれば、この他種種のサービス識別情報を広く適用することができる。
【産業上の利用可能性】  本発明は、パーソナルコンピュータや携帯電話機等の表示装置に利用することができる。
【図１】
2005006610.tif 000003
【図２】
2005006610.tif 000004
【図３】
2005006610.tif 000005
【図４】
2005006610.tif 000006
【図５】
2005006610.tif 000007
【図６】
2005006610.tif 000008
【図７】
2005006610.tif 000009
【図８】
2005006610.tif 000010
【図９】
2005006610.tif 000011
【図１０】
2005006610.tif 000012
【図１１】
2005006610.tif 000013
【図１２】
2005006610.tif 000014
【図１３】
2005006610.tif 000015
【図１４】
2005006610.tif 000016
【図１５】
2005006610.tif 000017
【図１６】
2005006610.tif 000018
【図１７】
2005006610.tif 000019
【図１８】
2005006610.tif 000020
【図１９】
2005006610.tif 000021
【図２０】
2005006610.tif 000022
【図２１】
2005006610.tif 000023
【図２２】
2005006610.tif 000024
【図２３】
2005006610.tif 000025
【図２４】
2005006610.tif 000026
【図２５】
2005006610.tif 000027
【図２６】
2005006610.tif 000028
【国際調査報告】
2005006610.tif 000029
2005006610.tif 000030
2005006610.tif 000031
2005006610.tif 000032